(57)【要約】【課題】ユーザが複数の評価要素を円滑に評価することが可能な不動産評価支援システムを提供すること。【解決手段】不動産評価支援システム１は、不動産が有する複数の評価要素を評価することによる、当該不動産に対する評価を支援する。不動産評価支援システム１は、評価要素を特定するための評価要素特定情報と、当該評価要素を評価するためにユーザが所在すべき位置を特定するための位置特定情報と、を対応付けて記憶する。不動産評価支援システム１は、評価要素特定情報と、当該評価要素特定情報と対応付けて記憶されている位置特定情報である入力対象位置特定情報と、を出力する。【選択図】図２
2013210766.tif 000002
【特許請求の範囲】
【請求項１】
不動産が有する複数の評価要素を評価することによる、当該不動産に対する評価を支援する不動産評価支援システムであって、
前記評価要素を特定するための評価要素特定情報と、当該評価要素を評価するためにユーザが所在すべき位置を特定するための位置特定情報と、を対応付けて記憶する位置特定情報記憶手段と、
前記評価要素特定情報と、当該評価要素特定情報と対応付けて記憶されている位置特定情報である入力対象位置特定情報と、を出力する情報出力手段と、
を備える不動産評価支援システム。
【請求項２】
請求項１に記載の不動産評価支援システムであって、
前記情報出力手段は、
前記評価要素に対する評価を表す要素評価情報が前記ユーザによって入力される毎に、予め設定された評価順序に従って、順に、前記評価要素特定情報、及び、前記入力対象位置特定情報を出力するように構成され、且つ、
前記評価要素特定情報、及び、前記入力対象位置特定情報とともに、前記評価順序において当該評価要素特定情報に後続する評価要素特定情報と対応付けて記憶されている前記位置特定情報である後続位置特定情報も出力するように構成された不動産評価支援システム。
【請求項３】
請求項２に記載の不動産評価支援システムであって、
前記情報出力手段は、前記評価要素特定情報、及び、前記入力対象位置特定情報とともに、前記評価順序において当該評価要素特定情報に先行する評価要素特定情報と対応付けて記憶されている前記位置特定情報である先行位置特定情報も出力するように構成された不動産評価支援システム。
【請求項４】
請求項３に記載の不動産評価支援システムであって、
前記情報出力手段は、前記入力対象位置特定情報、前記後続位置特定情報、及び、前記先行位置特定情報のそれぞれを、異なる態様にて出力するように構成された不動産評価支援システム。
【請求項５】
請求項１乃至請求項４のいずれかに記載の不動産評価支援システムであって、
前記情報出力手段は、予め定められた制限方式に従って、前記出力される位置特定情報の数を制限するように構成される不動産評価支援システム。
【請求項６】
請求項１乃至請求項５のいずれかに記載の不動産評価支援システムであって、
前記不動産は、建築物であり、
前記位置特定情報は、前記建築物の内部における位置、又は、当該建築物の外部における位置を特定するための情報である、不動産評価支援システム。
【請求項７】
請求項１乃至請求項６のいずれかに記載の不動産評価支援システムであって、
前記ユーザにより入力された前記要素評価情報を、当該要素評価情報に対応する前記評価要素を特定するための前記評価要素特定情報と対応付けて記憶する要素評価情報記憶手段を備える不動産評価支援システム。
【請求項８】
請求項７に記載の不動産評価支援システムであって、
前記記憶されている要素評価情報に基づいて、前記不動産に対する評価の結果を表す評価結果情報を生成する評価結果情報生成手段を備える不動産評価支援システム。
【請求項９】
不動産が有する複数の評価要素を評価することによる、当該不動産に対する評価を支援する不動産評価支援方法であって、
前記評価要素を特定するための評価要素特定情報と、当該評価要素を評価するためにユーザが所在すべき位置を特定するための位置特定情報と、を対応付けて記憶し、
前記評価要素特定情報と、当該評価要素特定情報と対応付けて記憶されている位置特定情報である入力対象位置特定情報と、を出力する、不動産評価支援方法。
【請求項１０】
不動産が有する複数の評価要素を評価することによる、当該不動産に対する評価を支援するサーバ装置であって、
前記評価要素を特定するための評価要素特定情報と、当該評価要素を評価するためにユーザが所在すべき位置を特定するための位置特定情報と、を対応付けて記憶する位置特定情報記憶手段と、
前記評価要素特定情報と、当該評価要素特定情報と対応付けて記憶されている位置特定情報である入力対象位置特定情報と、を送信する情報送信手段と、
を備えるサーバ装置。
【請求項１１】
不動産が有する複数の評価要素を評価することによる、当該不動産に対する評価を支援するサーバ装置に適用され、
前記評価要素を特定するための評価要素特定情報と、当該評価要素を評価するためにユーザが所在すべき位置を特定するための位置特定情報と、を対応付けて記憶し、
前記評価要素特定情報と、当該評価要素特定情報と対応付けて記憶されている位置特定情報である入力対象位置特定情報と、を送信する、サーバ装置制御方法。
【請求項１２】
不動産が有する複数の評価要素を評価することによる、当該不動産に対する評価を支援するサーバ装置に、
前記評価要素を特定するための評価要素特定情報と、当該評価要素を評価するためにユーザが所在すべき位置を特定するための位置特定情報と、を対応付けて記憶し、
前記評価要素特定情報と、当該評価要素特定情報と対応付けて記憶されている位置特定情報である入力対象位置特定情報と、を送信する、処理を実行させるためのサーバ装置制御プログラム。
【発明の詳細な説明】
【技術分野】
【０００１】
本発明は、不動産が有する複数の評価要素を評価することによる、当該不動産に対する評価を支援する不動産評価支援システムに関する。
【背景技術】
【０００２】
不動産（例えば、建築物等）が有する複数の評価要素（例えば、玄関の広さ、洗面所の設備、浴室の広さ、廊下の幅、及び、部屋からの眺望等）を評価することによる、当該不動産に対する評価を支援する不動産評価支援システムが知られている。
【０００３】
この種の不動産評価支援システムの一つとして、特許文献１に記載の不動産評価支援システムは、各評価要素を特定するための評価要素特定情報を出力する。ユーザは、出力されている評価要素特定情報により特定される評価要素に対する評価を表す要素評価情報を入力する。
【先行技術文献】
【特許文献】
【０００４】
【特許文献１】特開２００７−３２３２３９号公報
【発明の概要】
【発明が解決しようとする課題】
【０００５】
ところで、上記不動産評価支援システムにおいては、ユーザが、ある評価要素を評価する際、当該評価要素を評価するために所在すべき位置（例えば、玄関、洗面所、浴室、廊下、及び、部屋等）を容易に知ることができない。従って、ユーザが当該位置へ円滑に移動できない虞があった。即ち、上記不動産評価支援システムにおいては、ユーザが複数の評価要素を円滑に評価することができない虞があった。
【０００６】
このため、本発明の目的は、上述した課題である「ユーザが複数の評価要素を円滑に評価することができない場合が生じること」を解決することが可能な不動産評価支援システムを提供することにある。
【課題を解決するための手段】
【０００７】
かかる目的を達成するため本発明の一形態である不動産評価支援システムは、不動産が有する複数の評価要素を評価することによる、当該不動産に対する評価を支援するシステムである。
【０００８】
更に、この不動産評価支援システムは、
上記評価要素を特定するための評価要素特定情報と、当該評価要素を評価するためにユーザが所在すべき位置を特定するための位置特定情報と、を対応付けて記憶する位置特定情報記憶手段と、
上記評価要素特定情報と、当該評価要素特定情報と対応付けて記憶されている位置特定情報である入力対象位置特定情報と、を出力する情報出力手段と、
を備える。
【０００９】
また、本発明の他の形態である不動産評価支援方法は、不動産が有する複数の評価要素を評価することによる、当該不動産に対する評価を支援する方法である。
【００１０】
更に、この不動産評価支援方法は、
上記評価要素を特定するための評価要素特定情報と、当該評価要素を評価するためにユーザが所在すべき位置を特定するための位置特定情報と、を対応付けて記憶し、
上記評価要素特定情報と、当該評価要素特定情報と対応付けて記憶されている位置特定情報である入力対象位置特定情報と、を出力する方法である。
【００１１】
また、本発明の他の形態であるサーバ装置は、不動産が有する複数の評価要素を評価することによる、当該不動産に対する評価を支援する装置である。
【００１２】
更に、このサーバ装置は、
上記評価要素を特定するための評価要素特定情報と、当該評価要素を評価するためにユーザが所在すべき位置を特定するための位置特定情報と、を対応付けて記憶する位置特定情報記憶手段と、
上記評価要素特定情報と、当該評価要素特定情報と対応付けて記憶されている位置特定情報である入力対象位置特定情報と、を送信する情報送信手段と、
を備える。
【００１３】
また、本発明の他の形態であるサーバ装置制御方法は、
不動産が有する複数の評価要素を評価することによる、当該不動産に対する評価を支援するサーバ装置に適用され、
上記評価要素を特定するための評価要素特定情報と、当該評価要素を評価するためにユーザが所在すべき位置を特定するための位置特定情報と、を対応付けて記憶し、
上記評価要素特定情報と、当該評価要素特定情報と対応付けて記憶されている位置特定情報である入力対象位置特定情報と、を送信する方法である。
【００１４】
また、本発明の他の形態であるサーバ装置制御プログラムは、
不動産が有する複数の評価要素を評価することによる、当該不動産に対する評価を支援するサーバ装置に、
上記評価要素を特定するための評価要素特定情報と、当該評価要素を評価するためにユーザが所在すべき位置を特定するための位置特定情報と、を対応付けて記憶し、
上記評価要素特定情報と、当該評価要素特定情報と対応付けて記憶されている位置特定情報である入力対象位置特定情報と、を送信する、処理を実行させるためのプログラムである。
【発明の効果】
【００１５】
本発明は、以上のように構成されることにより、ユーザが複数の評価要素を円滑に評価することができる。
【図面の簡単な説明】
【００１６】
【図１】本発明の第１実施形態に係る不動産評価支援システムの概略構成を表す図である。
【図２】本発明の第１実施形態に係る不動産評価支援システムの機能を表すブロック図である。
【図３】評価要素ＩＤと順序情報と位置特定情報と評価要素特定情報とを対応付けたテーブルを示した図である。
【図４】評価要素ＩＤと評価候補ＩＤと評価候補情報とを対応付けたテーブルを示した図である。
【図５】評価要素ＩＤと要素評価情報とを対応付けたテーブルを示した図である。
【図６】本発明の第１実施形態に係る不動産評価支援システムの作動を示したシーケンス図である。
【図７】本発明の第１実施形態に係るクライアント装置が出力する画像の一例を示した図である。
【図８】本発明の第１実施形態に係るクライアント装置が出力する画像の一例を示した図である。
【図９】本発明の第１実施形態に係るクライアント装置が出力する画像の一例を示した図である。
【発明を実施するための形態】
【００１７】
以下、本発明に係る、不動産評価支援システム、不動産評価支援方法、サーバ装置、サーバ装置制御方法、及び、サーバ装置制御プログラム、の各実施形態について図１〜図９を参照しながら説明する。
【００１８】
＜第１実施形態＞
（構成）
図１に示したように、第１実施形態に係る不動産評価支援システム１は、不動産が有する複数の評価要素を評価することによる、当該不動産に対する評価を支援する情報処理システムである。本例では、不動産は、建築物である。なお、不動産は、建築物以外の不動産（例えば、土地等）であってもよい。
【００１９】
不動産評価支援システム１は、サーバ装置１０と、クライアント装置２０と、を備える。サーバ装置１０、及び、クライアント装置２０は、通信回線（本例では、ＩＰ（Ｉｎｔｅｒｎｅｔ  Ｐｒｏｔｏｃｏｌ）網）ＮＷを介して、互いに通信可能に接続されている。
【００２０】
サーバ装置１０は、情報処理装置である。サーバ装置１０は、図示しない、中央処理装置（ＣＰＵ；Ｃｅｎｔｒａｌ  Ｐｒｏｃｅｓｓｉｎｇ  Ｕｎｉｔ）、及び、記憶装置（メモリ及びハードディスク駆動装置（ＨＤＤ；Ｈａｒｄ  Ｄｉｓｋ  Ｄｒｉｖｅ））を備える。サーバ装置１０は、記憶装置に記憶されているプログラムをＣＰＵが実行することにより、後述する機能を実現するように構成されている。
【００２１】
クライアント装置２０は、情報処理装置である。本例では、クライアント装置２０は、スマートフォンである。なお、クライアント装置２０は、パーソナル・コンピュータ、携帯電話端末、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄａｔａ  Ａｓｓｉｓｔａｎｃｅ、Ｐｅｒｓｏｎａｌ  Ｄｉｇｉｔａｌ  Ａｓｓｉｓｔａｎｔ）、カーナビゲーション端末、又は、ゲーム端末等であってもよい。
【００２２】
クライアント装置２０は、図示しない、中央処理装置（ＣＰＵ）、及び、記憶装置（メモリ）と、図２に示した、入力装置（本例では、タッチパネル式のディスプレイ、ボタン、及び、マイクロフォン）２１、及び、出力装置（本例では、ディスプレイ、及び、スピーカ）２２と、を備える。
【００２３】
クライアント装置２０は、記憶装置に記憶されているプログラムをＣＰＵが実行することにより、後述する機能を実現するように構成されている。
【００２４】
（機能）
図２は、上記のように構成された情報処理システム１の機能を表すブロック図である。
サーバ装置１０の機能は、評価基礎情報記憶部（位置特定情報記憶手段）１０１と、評価促進情報生成部（情報送信手段）１０２と、要素評価情報受付部１０３と、要素評価情報記憶部（要素評価情報記憶手段）１０４と、評価結果情報生成部（評価結果情報生成手段）１０５と、を含む。
また、クライアント装置２０の機能は、情報送受信部２０１を含む。
【００２５】
評価基礎情報記憶部１０１は、評価要素を特定するための評価要素特定情報と、当該評価要素を評価するためにユーザが所在すべき位置を特定するための位置特定情報と、を予め対応付けて記憶している。
【００２６】
本例では、図３に示したように、評価基礎情報記憶部１０１は、評価要素ＩＤと、順序情報と、位置特定情報と、評価要素特定情報と、を対応付けたテーブルを記憶する。
評価要素ＩＤは、評価要素特定情報（即ち、評価要素）を識別するための情報である。
【００２７】
順序情報は、評価順序を表す情報である。評価順序は、評価要素が評価される順序である。本例では、順序情報は、正の整数である値を有し、且つ、値が小さくなるほど先に評価されることを表す。
【００２８】
また、本例では、評価要素は、「玄関の広さ」、「キッチンの勝手口の有無」、及び、「洗面所の水圧」等である。本例では、評価要素特定情報は、「十分に広いですか？」、「勝手口はありますか？」、及び、「水圧はどうですか？」等である。本例では、位置特定情報は、「玄関」、「キッチン」、及び、「洗面所」等である。
【００２９】
本例では、位置特定情報は、建築物の内部における位置（例えば、玄関、トイレ、洗面所、脱衣所、浴室、キッチン、廊下、階段、ベランダ、窓、及び、部屋等）を特定するための情報である、なお、位置特定情報は、建築物の外部における位置（例えば、最寄り駅、経路、周辺施設、周辺状況、前面道路、及び、隣地状況等）を特定するための情報であってもよい。
【００３０】
更に、評価基礎情報記憶部１０１は、評価要素を特定するための評価要素特定情報と、当該評価要素に対する評価の候補を表す評価候補情報と、を予め対応付けて記憶している。
【００３１】
本例では、図４に示したように、評価基礎情報記憶部１０１は、評価要素ＩＤと、評価候補ＩＤと、評価候補情報と、を対応付けたテーブルを記憶する。
評価候補ＩＤは、評価候補情報を識別するための情報である。本例では、評価候補情報は、「はい」、「いいえ」、「弱い」、「ふつう」、及び、「強い」等である。
【００３２】
評価促進情報生成部１０２は、評価基礎情報記憶部１０１に記憶されているテーブルに基づいて、評価促進情報を生成する。評価促進情報は、評価要素に対する評価を促進するための情報である。なお、後述するように、生成された評価促進情報は、クライアント装置２０へ送信され、クライアント装置２０により出力される。
【００３３】
具体的には、評価促進情報は、評価要素特定情報と、当該評価要素特定情報と対応付けて評価基礎情報記憶部１０１に記憶されている位置特定情報である入力対象位置特定情報と、当該評価要素特定情報と（本例では、評価要素ＩＤを介して）対応付けて評価基礎情報記憶部１０１に記憶されている、評価要素ＩＤ、評価候補情報、及び、評価候補ＩＤと、を含む情報である。
【００３４】
本例では、評価促進情報生成部１０２は、サーバ装置１０がクライアント装置２０から評価開始要求を受信した時、値が最小である順序情報と対応付けて評価基礎情報記憶部１０１に記憶されている、評価要素特定情報、及び、入力対象位置特定情報を含む評価促進情報を生成する。
【００３５】
評価開始要求は、クライアント装置２０のユーザが、ある不動産に対する評価の開始を要求する情報である。
【００３６】
また、評価促進情報生成部１０２は、サーバ装置１０がクライアント装置２０から先行評価要求、又は、後続評価要求を受信した場合、当該受信された、先行評価要求、又は、後続評価要求に含まれる順序情報を取得する。
【００３７】
そして、評価促進情報生成部１０２は、取得された順序情報と対応付けて評価基礎情報記憶部１０１に記憶されている、評価要素特定情報、及び、入力対象位置特定情報を含む評価促進情報を生成する。
【００３８】
ここで、先行評価要求は、現時点にてクライアント装置２０が出力している評価促進情報に含まれる評価要素特定情報の、上記評価順序における直前の評価要素特定情報（直前評価要素特定情報）を含む評価促進情報の送信を要求する情報である。本例では、先行評価要求は、直前評価要素特定情報に対応する（即ち、直前評価要素特定情報と対応付けて評価基礎情報記憶部１０１に記憶されている）順序情報を含む。
【００３９】
また、後続評価要求は、現時点にてクライアント装置２０が出力している評価促進情報に含まれる評価要素特定情報の、上記評価順序における直後の評価要素特定情報（直後評価要素特定情報）を含む評価促進情報の送信を要求する情報である。本例では、後続評価要求は、直後評価要素特定情報に対応する（即ち、直後評価要素特定情報と対応付けて評価基礎情報記憶部１０１に記憶されている）順序情報を含む。
【００４０】
ところで、後述するように、サーバ装置１０がクライアント装置２０から後続評価要求を受信することは、評価要素に対する評価を表す要素評価情報がユーザによって入力されることに対応している。
【００４１】
従って、評価促進情報生成部１０２は、要素評価情報がユーザによって入力される毎に、予め設定された評価順序に従って、順に、評価要素特定情報、及び、入力対象位置特定情報を含む評価促進情報を生成している、と言うことができる。
【００４２】
更に、本例では、評価促進情報は、後続位置特定情報、及び、先行位置特定情報も含む。
後続位置特定情報は、上記評価順序において、上記評価促進情報に含まれる評価要素特定情報に後続する評価要素特定情報と対応付けて評価基礎情報記憶部１０１に記憶されている位置特定情報である。
【００４３】
具体的には、評価促進情報生成部１０２は、上記評価促進情報に含まれる評価要素特定情報と対応付けて記憶されている順序情報の値よりも大きい値を有する順序情報と対応付けて記憶されている位置特定情報を、後続位置特定情報候補として抽出する。
【００４４】
評価促進情報生成部１０２は、抽出された後続位置特定情報候補から、他の後続位置特定情報候補と同一の後続位置特定情報候補を削除する。更に、評価促進情報生成部１０２は、後続位置特定情報候補のうちの、上記評価促進情報に含まれる入力対象位置特定情報と異なる後続位置特定情報候補を抽出する。
【００４５】
そして、評価促進情報生成部１０２は、抽出された後続位置特定情報候補の数が、予め設定された後続位置出力数（本例では、３つ）以下である場合、抽出された後続位置特定情報候補を後続位置特定情報として取得する。
【００４６】
一方、評価促進情報生成部１０２は、抽出された後続位置特定情報候補の数が、上記後続位置出力数よりも多い場合、抽出された後続位置特定情報候補のうちの、当該後続位置特定情報候補と対応付けて記憶されている順序情報の値がより小さい後続位置特定情報候補を、上記後続位置出力数だけ選択する。次いで、評価促進情報生成部１０２は、選択された後続位置特定情報候補を後続位置特定情報として取得する。
【００４７】
このように、本例では、評価促進情報生成部１０２は、後続位置出力数以下の数だけ後続位置特定情報を含むように、評価促進情報を生成する。即ち、評価促進情報生成部１０２は、予め定められた制限方式に従って、出力される位置特定情報の数を制限している、と言うことができる。
【００４８】
また、先行位置特定情報は、上記評価順序において、上記評価促進情報に含まれる評価要素特定情報に先行する評価要素特定情報と対応付けて評価基礎情報記憶部１０１に記憶されている位置特定情報である。
【００４９】
具体的には、評価促進情報生成部１０２は、上記評価促進情報に含まれる評価要素特定情報と対応付けて記憶されている順序情報の値よりも小さい値を有する順序情報と対応付けて記憶されている位置特定情報を、先行位置特定情報候補として抽出する。
【００５０】
評価促進情報生成部１０２は、抽出された先行位置特定情報候補から、他の先行位置特定情報候補と同一の先行位置特定情報候補を削除する。更に、評価促進情報生成部１０２は、先行位置特定情報候補のうちの、上記評価促進情報に含まれる入力対象位置特定情報と異なる先行位置特定情報候補を抽出する。
【００５１】
そして、評価促進情報生成部１０２は、抽出された先行位置特定情報候補の数が、予め設定された先行位置出力数（本例では、１つ）以下である場合、抽出された先行位置特定情報候補を先行位置特定情報として取得する。
【００５２】
一方、評価促進情報生成部１０２は、抽出された先行位置特定情報候補の数が、上記先行位置出力数よりも多い場合、抽出された先行位置特定情報候補のうちの、当該先行位置特定情報候補と対応付けて記憶されている順序情報の値がより大きい先行位置特定情報候補を、上記先行位置出力数だけ選択する。次いで、評価促進情報生成部１０２は、選択された先行位置特定情報候補を先行位置特定情報として取得する。
【００５３】
このように、本例では、評価促進情報生成部１０２は、先行位置出力数以下の数だけ先行位置特定情報を含むように、評価促進情報を生成する。即ち、評価促進情報生成部１０２は、予め定められた制限方式に従って、出力される位置特定情報の数を制限している、と言うことができる。
【００５４】
なお、評価促進情報生成部１０２は、位置特定情報が、当該位置特定情報と対応付けて記憶されている順序情報の値の大きさの順に並んで配置された画像が出力されるように、評価促進情報を生成する。即ち、評価促進情報生成部１０２は、先行位置特定情報、入力対象位置特定情報、及び、後続位置特定情報が、この順に並んで配置された画像が出力されるように、評価促進情報を生成する。
【００５５】
また、評価促進情報生成部１０２は、先行位置特定情報、入力対象位置特定情報、及び、後続位置特定情報、のそれぞれが、異なる態様にて出力されるように、評価促進情報を生成する。例えば、評価促進情報生成部１０２は、入力対象位置特定情報が最も強調された態様にて出力され、且つ、後続位置特定情報が入力対象位置特定情報の次に強調された態様にて出力されるように、評価促進情報を生成する。
【００５６】
評価促進情報生成部１０２は、生成された評価促進情報をクライアント装置２０へ送信する。
【００５７】
情報送受信部２０１は、サーバ装置１０により送信された評価促進情報を受信する。情報送受信部２０１は、受信された評価促進情報を出力装置２２を介して出力する。
なお、評価促進情報生成部１０２、及び、情報送受信部２０１は、評価要素特定情報と、当該評価要素特定情報と対応付けて記憶されている入力対象位置特定情報と、を出力する情報出力手段を構成する。
【００５８】
情報送受信部２０１は、入力装置２１を介してユーザにより入力された要素評価情報を受け付ける。本例では、要素評価情報は、ユーザにより入力された評価候補ＩＤを含む。更に、情報送受信部２０１は、入力装置２１を介してユーザにより入力された要求送信指示を受け付ける。要求送信指示は、先行評価要求、後続評価要求、又は、評価結果要求の送信を指示する情報である。
【００５９】
情報送受信部２０１は、先行評価要求の送信を指示する要求送信指示を受け付けた場合、先行評価要求をサーバ装置１０へ送信する。また、情報送受信部２０１は、後続評価要求の送信を指示する要求送信指示を受け付けた場合、上記受け付けた要素評価情報と、当該要素評価情報に対応する（即ち、評価促進情報に含まれていた）評価要素ＩＤと、後続評価要求と、をサーバ装置１０へ送信する。
【００６０】
同様に、情報送受信部２０１は、評価結果要求の送信を指示する要求送信指示を受け付けた場合、上記受け付けた要素評価情報と、当該要素評価情報に対応する（即ち、評価促進情報に含まれていた）評価要素ＩＤと、評価結果要求と、をサーバ装置１０へ送信する。
【００６１】
要素評価情報受付部１０３は、サーバ装置１０がクライアント装置２０から受信した、要素評価情報、及び、評価要素ＩＤを受け付ける。
【００６２】
要素評価情報記憶部１０４は、要素評価情報受付部１０３により受け付けられた要素評価情報を、当該要素評価情報に対応する評価要素を特定するための評価要素特定情報と対応付けて記憶する。
【００６３】
本例では、要素評価情報記憶部１０４は、図５に示したように、評価要素ＩＤと、要素評価情報（本例では、評価候補ＩＤ）と、を対応付けたテーブルを記憶する。なお、本例では、要素評価情報記憶部１０４は、図５に示したようなテーブルを、評価される不動産毎に、且つ、評価するユーザ毎に、記憶する。
【００６４】
評価結果情報生成部１０５は、サーバ装置１０がクライアント装置２０から評価結果要求を受信した場合、要素評価情報記憶部１０４に記憶されている要素評価情報に基づいて、不動産に対する評価の結果を表す評価結果情報を生成する。
【００６５】
本例では、評価結果情報は、評価要素特定情報と、要素評価情報により識別される評価候補情報と、を対応付けたテーブルを表す情報を含む。なお、評価結果情報は、各評価要素の各評価候補情報に対して予め設定されたスコア値の総和、又は、当該総和に基づく記号等を表す情報を含んでいてもよい。なお、スコア値の総和、又は、当該総和に基づく記号等は、各評価要素に対して予め設定された分類毎に取得されてもよい。
【００６６】
評価結果情報生成部１０５は、生成された評価結果情報をクライアント装置２０へ送信する。
【００６７】
情報送受信部２０１は、サーバ装置１０により送信された評価結果情報を受信する。情報送受信部２０１は、受信された評価結果情報を出力装置２２を介して出力する。
【００６８】
（作動）
次に、上述した不動産評価支援システム１の作動について、図６に示したシーケンス図を参照しながら説明する。
【００６９】
先ず、クライアント装置２０のユーザは、サーバ装置１０へ評価開始要求を送信するための指示をクライアント装置２０に入力する。例えば、ユーザは、予め設定されたＵＲＩ（Ｕｎｉｖｅｒｓａｌ  Ｒｅｓｏｕｒｃｅ  Ｉｄｅｎｔｉｆｉｅｒ）に、ウェブ・ブラウザがアクセスするように指示を入力する。
【００７０】
これにより、クライアント装置２０は、評価開始要求をサーバ装置１０へ送信する。
サーバ装置１０は、評価開始要求を受信すると、値が最小である順序情報（本例では、「１」を有する順序情報）と対応付けて評価基礎情報記憶部１０１に記憶されている、評価要素特定情報、及び、入力対象位置特定情報を含む評価促進情報を生成する（ステップＳ１０１）。上述したように、生成される評価促進情報は、評価要素ＩＤ、評価候補情報、及び、評価候補ＩＤも含む。
【００７１】
また、この時点では、上記順序情報の値（即ち、「１」）よりも小さい値を有する順序情報と対応付けて記憶されている位置特定情報は、存在しない。一方、上記順序情報の値（即ち、「１」）よりも大きい値を有する順序情報と対応付けて記憶されている位置特定情報は、存在する。従って、この時点にて生成される評価促進情報は、先行位置特定情報を含まず、且つ、後続位置特定情報を含む。また、この時点にて生成される評価促進情報は、「次へ進む」と表示されたボタンを表す情報も含む。
【００７２】
そして、サーバ装置１０は、生成された評価促進情報をクライアント装置２０へ送信する（ステップＳ１０２）。
これにより、クライアント装置２０は、評価促進情報を受信する。そして、クライアント装置２０は、受信された評価促進情報を出力装置２２を介して出力する（ステップＳ１０３）。
【００７３】
本例では、クライアント装置２０は、図７に示した画像をディスプレイに表示させることにより、評価促進情報を出力する。
【００７４】
これにより、ユーザは、評価要素特定情報（ここでは、「十分に広いですか？」）とともに、当該評価要素特定情報により特定される評価要素を評価するために所在すべき位置（ここでは、「玄関」）を知る。この結果、ユーザは、上記位置へ移動する。そして、ユーザは、上記評価要素を評価する。
【００７５】
その後、ユーザは、上記評価要素に対する評価を表す要素評価情報をクライアント装置２０に入力する。本例では、ユーザは、出力されている評価候補情報の中から、ユーザによる評価を表す評価候補情報を選択する情報を入力する。
【００７６】
これにより、クライアント装置２０は、要素評価情報としての評価候補ＩＤを受け付ける（ステップＳ１０４）。
【００７７】
また、ユーザは、評価要素特定情報（ここでは、「十分に広いですか？」）とともに、後続評価位置（ここでは、「洗面所」、「キッチン」、及び、「リビング」）を知る。この結果、ユーザは、後続評価位置へ容易に移動することができる。ここで、後続評価位置は、後続位置特定情報により特定される位置である。即ち、後続評価位置は、現時点にて出力されている評価要素特定情報により特定される評価要素を評価した後に評価すべき評価要素（即ち、後続する評価要素）を評価するために所在すべき位置である。
【００７８】
その後、ユーザは、「次へ進む」と表示されたボタンを押下する操作を行うことにより、後続評価要求の送信を指示する要求送信指示をクライアント装置２０に入力する。
これにより、クライアント装置２０は、上記受け付けられた要素評価情報と、上記評価促進情報に含まれていた評価要素ＩＤと、後続評価要求と、をサーバ装置１０へ送信する（ステップＳ１０５）。
【００７９】
そして、サーバ装置１０は、クライアント装置２０から、評価要素ＩＤ、要素評価情報、及び、後続評価要求を受信する。
次いで、サーバ装置１０は、受信された、要素評価情報、及び、評価要素ＩＤを互いに対応付けて記憶する（ステップＳ１０６）。
【００８０】
そして、不動産評価支援システム１は、ステップＳ１０１〜ステップＳ１０６からなるブロック処理ＳＢ１を再び実行する。
【００８１】
具体的には、サーバ装置１０は、受信された後続評価要求に含まれる順序情報（ここでは、「２」を値として有する順序情報）と対応付けて評価基礎情報記憶部１０１に記憶されている、評価要素特定情報、及び、入力対象位置特定情報を含む評価促進情報を生成する（ステップＳ１０１）。上述したように、生成される評価促進情報は、評価要素ＩＤ、評価候補情報、及び、評価候補ＩＤも含む。
【００８２】
この時点では、上記順序情報の値（即ち、「２」）よりも小さい値を有する順序情報と対応付けて記憶されている位置特定情報は、存在する。また、上記順序情報の値（即ち、「２」）よりも大きい値を有する順序情報と対応付けて記憶されている位置特定情報も、存在する。従って、この時点にて生成される評価促進情報は、先行位置特定情報、及び、後続位置特定情報を含む。また、この時点にて生成される評価促進情報は、「前へ戻る」と表示されたボタン、及び、「次へ進む」と表示されたボタンを表す情報も含む。
【００８３】
そして、サーバ装置１０は、生成された評価促進情報をクライアント装置２０へ送信する（ステップＳ１０２）。
これにより、クライアント装置２０は、評価促進情報を受信する。そして、クライアント装置２０は、受信された評価促進情報を出力装置２２を介して出力する（ステップＳ１０３）。
【００８４】
本例では、クライアント装置２０は、図８に示した画像をディスプレイに表示させることにより、評価促進情報を出力する。
【００８５】
これにより、ユーザは、評価要素特定情報（ここでは、「水圧はどうですか？」）とともに、当該評価要素特定情報により特定される評価要素を評価するために所在すべき位置（ここでは、「洗面所」）を知る。この結果、ユーザは、上記位置へ移動する。そして、ユーザは、上記評価要素を評価する。
【００８６】
その後、ユーザは、上記評価要素に対する評価を表す要素評価情報をクライアント装置２０に入力する。本例では、ユーザは、出力されている評価候補情報の中から、ユーザによる評価を表す評価候補情報を選択する情報を入力する。
【００８７】
これにより、クライアント装置２０は、要素評価情報としての評価候補ＩＤを受け付ける（ステップＳ１０４）。
【００８８】
また、ユーザは、評価要素特定情報（ここでは、「水圧はどうですか？」）とともに、後続評価位置（ここでは、「キッチン」、「リビング」、及び、「階段」）を知る。この結果、ユーザは、後続評価位置へ容易に移動することができる。
【００８９】
また、ユーザは、評価要素特定情報（ここでは、「水圧はどうですか？」）とともに、先行評価位置（ここでは、「玄関」）を知る。この結果、ユーザは、先行評価位置へ容易に移動することができる。ここで、先行評価位置は、先行位置特定情報により特定される位置である。即ち、先行評価位置は、現時点にて出力されている評価要素特定情報により特定される評価要素の前に評価した評価要素（即ち、先行する評価要素）を評価し直すために所在すべき位置である。
【００９０】
その後、ユーザは、「次へ進む」と表示されたボタンを押下する操作を行うことにより、後続評価要求の送信を指示する要求送信指示をクライアント装置２０に入力する。
これにより、クライアント装置２０は、上記受け付けられた要素評価情報と、上記評価促進情報に含まれていた評価要素ＩＤと、後続評価要求と、をサーバ装置１０へ送信する（ステップＳ１０５）。
【００９１】
そして、サーバ装置１０は、クライアント装置２０から、評価要素ＩＤ、要素評価情報、及び、後続評価要求を受信する。
次いで、サーバ装置１０は、受信された、要素評価情報、及び、評価要素ＩＤを互いに対応付けて記憶する（ステップＳ１０６）。
【００９２】
その後、不動産評価支援システム１は、ステップＳ１０１〜ステップＳ１０６からなるブロック処理ＳＢ１を繰り返し実行する。
【００９３】
一方、ユーザは、「前へ戻る」と表示されたボタンを押下する操作を行うことにより、先行評価要求の送信を指示する要求送信指示をクライアント装置２０に入力する。
【００９４】
これにより、クライアント装置２０は、先行評価要求をサーバ装置１０へ送信する。この場合、不動産評価支援システム１は、ステップＳ１０５〜ステップＳ１０６の処理を実行することなく、先行評価要求に含まれる順序情報に対応付けられた評価要素特定情報に対するブロック処理ＳＢ１を、ステップＳ１０１から実行する。
【００９５】
そして、不動産評価支援システム１がブロック処理ＳＢ１を繰り返し実行することにより、ステップＳ１０５にて送信される後続評価要求に含まれる順序情報の値が、評価基礎情報記憶部１０１に記憶されている順序情報の最大値となった場合を想定する。
【００９６】
この時点では、上記順序情報の値よりも小さい値を有する順序情報と対応付けて記憶されている位置特定情報は、存在する。一方、上記順序情報の値（即ち、「２」）よりも大きい値を有する順序情報と対応付けて記憶されている位置特定情報は、存在しない。
【００９７】
従って、サーバ装置１０は、ステップＳ１０１へ進んだとき、先行位置特定情報を含み、且つ、後続位置特定情報を含まない評価促進情報を生成する。また、この時点にて生成される評価促進情報は、「前へ戻る」と表示されたボタン、及び、「評価結果」と表示されたボタンを表す情報も含む。
【００９８】
そして、サーバ装置１０は、生成された評価促進情報をクライアント装置２０へ送信する（ステップＳ１０２）。
これにより、クライアント装置２０は、評価促進情報を受信する。そして、クライアント装置２０は、受信された評価促進情報を出力装置２２を介して出力する（ステップＳ１０３）。
【００９９】
本例では、クライアント装置２０は、図９に示した画像をディスプレイに表示させることにより、評価促進情報を出力する。
【０１００】
これにより、ユーザは、評価要素特定情報（ここでは、「日当たりはどうですか？」）とともに、当該評価要素特定情報により特定される評価要素を評価するために所在すべき位置（ここでは、「ベランダ」）を知る。この結果、ユーザは、上記位置へ移動する。そして、ユーザは、上記評価要素を評価する。
【０１０１】
その後、ユーザは、上記評価要素に対する評価を表す要素評価情報をクライアント装置２０に入力する。本例では、ユーザは、出力されている評価候補情報の中から、ユーザによる評価を表す評価候補情報を選択する情報を入力する。
【０１０２】
これにより、クライアント装置２０は、要素評価情報としての評価候補ＩＤを受け付ける（ステップＳ１０４）。
【０１０３】
また、ユーザは、評価要素特定情報（ここでは、「日当たりはどうですか？」）とともに、先行評価位置（ここでは、「部屋」）を知る。この結果、ユーザは、先行評価位置へ容易に移動することができる。
【０１０４】
その後、ユーザは、「評価結果」と表示されたボタンを押下する操作を行うことにより、評価結果要求の送信を指示する要求送信指示をクライアント装置２０に入力する。
これにより、クライアント装置２０は、上記受け付けられた要素評価情報と、上記評価促進情報に含まれていた評価要素ＩＤと、評価結果要求と、をサーバ装置１０へ送信する（ステップＳ１０５）。
【０１０５】
そして、サーバ装置１０は、クライアント装置２０から、評価要素ＩＤ、要素評価情報、及び、評価結果要求を受信する。
次いで、サーバ装置１０は、受信された、要素評価情報、及び、評価要素ＩＤを互いに対応付けて記憶する（ステップＳ１０６）。
【０１０６】
その後、サーバ装置１０は、記憶されている要素評価情報に基づいて、不動産に対する評価の結果を表す評価結果情報を生成する。次いで、サーバ装置１０は、生成された評価結果情報をクライアント装置２０へ送信する。
【０１０７】
これにより、クライアント装置２０は、サーバ装置１０から評価結果情報を受信し、受信された評価結果情報を出力装置２２を介して出力する。
【０１０８】
以上、説明したように、第１実施形態に係る不動産評価支援システム１によれば、ユーザが、評価要素特定情報とともに、当該評価要素特定情報により特定される評価要素を評価するために所在すべき位置を知ることができる。これにより、ユーザが当該位置へ円滑に移動することができる。この結果、ユーザが複数の評価要素を円滑に評価することができる。
【０１０９】
更に、第１実施形態に係る不動産評価支援システム１は、評価要素特定情報とともに、後続位置特定情報も出力する。
【０１１０】
これによれば、ユーザは、現時点にて出力されている評価要素特定情報により特定される評価要素を評価した後に評価すべき評価要素（即ち、後続する評価要素）を評価するために所在すべき位置（後続評価位置）を知ることができる。これにより、ユーザが当該後続評価位置へ円滑に移動することができる。この結果、ユーザが複数の評価要素を円滑に評価することができる。
【０１１１】
加えて、第１実施形態に係る不動産評価支援システム１は、評価要素特定情報とともに、先行位置特定情報も出力する。
【０１１２】
これによれば、現時点にて出力されている評価要素特定情報により特定される評価要素の前に評価した評価要素（即ち、先行する評価要素）を評価し直すことをユーザが希望する場合であっても、ユーザは、当該評価要素を評価するために所在すべき位置（先行評価位置）を知ることができる。これにより、ユーザが当該先行評価位置へ円滑に移動することができる。この結果、ユーザが複数の評価要素を円滑に評価することができる。
【０１１３】
更に、第１実施形態に係る不動産評価支援システム１は、入力対象位置特定情報、後続位置特定情報、及び、先行位置特定情報のそれぞれを、異なる態様にて出力する。
【０１１４】
これによれば、ユーザは、現時点にて出力されている評価要素特定情報により特定される評価要素を評価するために所在すべき位置（現在評価位置）と、後続評価位置と、先行評価位置と、を容易に識別することができる。この結果、ユーザが複数の評価要素を円滑に評価することができる。
【０１１５】
加えて、第１実施形態に係る不動産評価支援システム１は、予め定められた制限方式に従って、出力される位置特定情報の数を制限する。
【０１１６】
出力される位置特定情報の数が過大になると、ユーザが、評価要素を評価するために所在すべき位置を容易に知ることができない虞がある。これに対し、上記構成によれば、ユーザが、評価要素を評価するために所在すべき位置を容易に知ることができる。
【０１１７】
なお、第１実施形態に係る不動産評価支援システム１においては、複数の評価要素特定情報のそれぞれと、１つの（特定の）位置特定情報と、が対応付けて記憶されていてもよい。
【０１１８】
また、第１実施形態の変形例に係る不動産評価支援システム１は、先行位置特定情報を出力しないように構成されていてもよい。また、第１実施形態の変形例に係る不動産評価支援システム１は、後続位置特定情報を出力しないように構成されていてもよい。
【０１１９】
また、第１実施形態の他の変形例に係る不動産評価支援システム１は、位置特定情報の文字数に基づいて、出力される位置特定情報の数を制限するように構成されていてもよい。例えば、第１実施形態の他の変形例に係る不動産評価支援システム１は、出力される位置特定情報の文字数の総和を、予め設定された閾値数以下とするように構成されていてもよい。
【０１２０】
また、第１実施形態の他の変形例に係る不動産評価支援システム１は、出力される位置特定情報の数を制限しないように構成されていてもよい。
また、第１実施形態の他の変形例に係る不動産評価支援システム１は、出力される先行位置特定情報が存在しない場合、出力される後続位置特定情報の数を増やすように構成されていてもよい。
【０１２１】
また、第１実施形態の他の変形例に係る不動産評価支援システム１は、ユーザにより入力された任意の文字列を表す情報を要素評価情報として受け付けるように構成されていてもよい。
【０１２２】
また、第１実施形態の他の変形例に係る不動産評価支援システム１は、評価結果情報を生成しないように構成されていてもよい。
【０１２３】
また、第１実施形態に係る不動産評価支援システム１は、サーバ装置１０及びクライアント装置２０からなる２つの情報処理装置により構成されていたが、１つの情報処理装置により構成されていてもよく、３つ以上の情報処理装置により構成されていてもよい。
【０１２４】
以上、上記実施形態を参照して本願発明を説明したが、本願発明は、上述した実施形態に限定されるものではない。本願発明の構成及び詳細に、本願発明の範囲内において当業者が理解し得る様々な変更をすることができる。
【０１２５】
なお、上記実施形態において不動産評価支援システム１の各機能は、ＣＰＵがプログラム（ソフトウェア）を実行することにより実現されていたが、回路等のハードウェアにより実現されていてもよい。
【０１２６】
また、上記実施形態においてプログラムは、記憶装置に記憶されていたが、コンピュータが読み取り可能な記録媒体に記憶されていてもよい。例えば、記録媒体は、フレキシブルディスク、光ディスク、光磁気ディスク、及び、半導体メモリ等の可搬性を有する媒体である。
【０１２７】
また、上記実施形態の他の変形例として、上述した実施形態及び変形例の任意の組み合わせが採用されてもよい。
【０１２８】
＜付記＞
上記実施形態の一部又は全部は、以下の付記のように記載され得るが、以下には限られない。
【０１２９】
（付記１）
不動産が有する複数の評価要素を評価することによる、当該不動産に対する評価を支援する不動産評価支援システムであって、
前記評価要素を特定するための評価要素特定情報と、当該評価要素を評価するためにユーザが所在すべき位置を特定するための位置特定情報と、を対応付けて記憶する位置特定情報記憶手段と、
前記評価要素特定情報と、当該評価要素特定情報と対応付けて記憶されている位置特定情報である入力対象位置特定情報と、を出力する情報出力手段と、
を備える不動産評価支援システム。
【０１３０】
これによれば、ユーザが、評価要素特定情報とともに、当該評価要素特定情報により特定される評価要素を評価するために所在すべき位置を知ることができる。これにより、ユーザが当該位置へ円滑に移動することができる。この結果、ユーザが複数の評価要素を円滑に評価することができる。
【０１３１】
（付記２）
付記１に記載の不動産評価支援システムであって、
前記情報出力手段は、
前記評価要素に対する評価を表す要素評価情報が前記ユーザによって入力される毎に、予め設定された評価順序に従って、順に、前記評価要素特定情報、及び、前記入力対象位置特定情報を出力するように構成され、且つ、
前記評価要素特定情報、及び、前記入力対象位置特定情報とともに、前記評価順序において当該評価要素特定情報に後続する評価要素特定情報と対応付けて記憶されている前記位置特定情報である後続位置特定情報も出力するように構成された不動産評価支援システム。
【０１３２】
これによれば、ユーザは、現時点にて出力されている評価要素特定情報により特定される評価要素を評価した後に評価すべき評価要素（即ち、後続する評価要素）を評価するために所在すべき位置（後続評価位置）を知ることができる。これにより、ユーザが当該後続評価位置へ円滑に移動することができる。この結果、ユーザが複数の評価要素を円滑に評価することができる。
【０１３３】
（付記３）
付記２に記載の不動産評価支援システムであって、
前記情報出力手段は、前記評価要素特定情報、及び、前記入力対象位置特定情報とともに、前記評価順序において当該評価要素特定情報に先行する評価要素特定情報と対応付けて記憶されている前記位置特定情報である先行位置特定情報も出力するように構成された不動産評価支援システム。
【０１３４】
これによれば、現時点にて出力されている評価要素特定情報により特定される評価要素の前に評価した評価要素（即ち、先行する評価要素）を評価し直すことをユーザが希望する場合であっても、ユーザは、当該評価要素を評価するために所在すべき位置（先行評価位置）を知ることができる。これにより、ユーザが当該先行評価位置へ円滑に移動することができる。この結果、ユーザが複数の評価要素を円滑に評価することができる。
【０１３５】
（付記４）
付記３に記載の不動産評価支援システムであって、
前記情報出力手段は、前記入力対象位置特定情報、前記後続位置特定情報、及び、前記先行位置特定情報のそれぞれを、異なる態様にて出力するように構成された不動産評価支援システム。
【０１３６】
これによれば、ユーザは、現時点にて出力されている評価要素特定情報により特定される評価要素を評価するために所在すべき位置（現在評価位置）と、後続評価位置と、先行評価位置と、を容易に識別することができる。この結果、ユーザが複数の評価要素を円滑に評価することができる。
【０１３７】
（付記５）
付記１乃至付記４のいずれかに記載の不動産評価支援システムであって、
前記情報出力手段は、予め定められた制限方式に従って、前記出力される位置特定情報の数を制限するように構成される不動産評価支援システム。
【０１３８】
出力される位置特定情報の数が過大になると、ユーザが、評価要素を評価するために所在すべき位置を容易に知ることができない虞がある。これに対し、上記構成によれば、ユーザが、評価要素を評価するために所在すべき位置を容易に知ることができる。
【０１３９】
（付記６）
付記１乃至付記５のいずれかに記載の不動産評価支援システムであって、
前記不動産は、建築物であり、
前記位置特定情報は、前記建築物の内部における位置、又は、当該建築物の外部における位置を特定するための情報である、不動産評価支援システム。
【０１４０】
（付記７）
付記１乃至付記６のいずれかに記載の不動産評価支援システムであって、
前記ユーザにより入力された前記要素評価情報を、当該要素評価情報に対応する前記評価要素を特定するための前記評価要素特定情報と対応付けて記憶する要素評価情報記憶手段を備える不動産評価支援システム。
【０１４１】
（付記８）
付記７に記載の不動産評価支援システムであって、
前記記憶されている要素評価情報に基づいて、前記不動産に対する評価の結果を表す評価結果情報を生成する評価結果情報生成手段を備える不動産評価支援システム。
【０１４２】
（付記９）
不動産が有する複数の評価要素を評価することによる、当該不動産に対する評価を支援する不動産評価支援方法であって、
前記評価要素を特定するための評価要素特定情報と、当該評価要素を評価するためにユーザが所在すべき位置を特定するための位置特定情報と、を対応付けて記憶し、
前記評価要素特定情報と、当該評価要素特定情報と対応付けて記憶されている位置特定情報である入力対象位置特定情報と、を出力する、不動産評価支援方法。
【０１４３】
（付記１０）
不動産が有する複数の評価要素を評価することによる、当該不動産に対する評価を支援するサーバ装置であって、
前記評価要素を特定するための評価要素特定情報と、当該評価要素を評価するためにユーザが所在すべき位置を特定するための位置特定情報と、を対応付けて記憶する位置特定情報記憶手段と、
前記評価要素特定情報と、当該評価要素特定情報と対応付けて記憶されている位置特定情報である入力対象位置特定情報と、を送信する情報送信手段と、
を備えるサーバ装置。
【０１４４】
（付記１１）
不動産が有する複数の評価要素を評価することによる、当該不動産に対する評価を支援するサーバ装置に適用され、
前記評価要素を特定するための評価要素特定情報と、当該評価要素を評価するためにユーザが所在すべき位置を特定するための位置特定情報と、を対応付けて記憶し、
前記評価要素特定情報と、当該評価要素特定情報と対応付けて記憶されている位置特定情報である入力対象位置特定情報と、を送信する、サーバ装置制御方法。
【０１４５】
（付記１２）
不動産が有する複数の評価要素を評価することによる、当該不動産に対する評価を支援するサーバ装置に、
前記評価要素を特定するための評価要素特定情報と、当該評価要素を評価するためにユーザが所在すべき位置を特定するための位置特定情報と、を対応付けて記憶し、
前記評価要素特定情報と、当該評価要素特定情報と対応付けて記憶されている位置特定情報である入力対象位置特定情報と、を送信する、処理を実行させるためのサーバ装置制御プログラム。
【産業上の利用可能性】
【０１４６】
本発明は、不動産が有する複数の評価要素を評価することによる、当該不動産に対する評価を支援する不動産評価支援システム等に適用可能である。
【符号の説明】
【０１４７】
１      不動産評価支援システム
１０    サーバ装置
２０    クライアント装置
２１    入力装置
２２    出力装置
１０１  評価基礎情報記憶部
１０２  評価促進情報生成部
１０３  要素評価情報受付部
１０４  要素評価情報記憶部
１０５  評価結果情報生成部
２０１  情報送受信部
【図１】
2013210766.tif 000003
【図２】
2013210766.tif 000004
【図３】
2013210766.tif 000005
【図４】
2013210766.tif 000006
【図５】
2013210766.tif 000007
【図６】
2013210766.tif 000008
【図７】
2013210766.tif 000009
【図８】
2013210766.tif 000010
【図９】
2013210766.tif 000011